(57)【要約】【課題】  燃料タンク内に充填する３次元網状構造を有するフォーム材の充填作業を、短時間に効率良く行うことが出来る燃料タンク内への暴爆防止材の充填方法を提供する。【解決手段】この実施形態では、先ず、燃料タンク１の空間部１ａ内に一定の大きさで形成された投入開口部２から、３次元網状構造を有するフォーム材Ｗを投入充填する際、前記フォーム材Ｗを、図１（ａ），（ｂ）に示すように、予め真空袋３（バキュームバック）に入れて真空圧により体積を圧縮収縮させたフォーム材Ｗｘの状態にする。このようなフォーム材Ｗｘを、燃料タンク１の空間部１ａの容積に対応する数だけ作っておき、そしてフォーム材Ｗｘを燃料タンク１の空間部１ａ内に投入開口部２から順次投入する。フォーム材Ｗｘを空間部１ａ内に投入後、空間部１ａ内において、真空袋３からフォーム材Ｗｘを開放して元の形状及び大きさに復元させ、図１（ｃ）に示すように、これにより燃料タンク１の空間部１ａ内に３次元網状構造を有するフォーム材Ｗを膨張充填するのである。【選択図】  図１
2005324845.tif 000002
【特許請求の範囲】
【請求項１】
燃料タンクの空間部内に、３次元網状構造を有するフォーム材を充填し、事故時に前記空間部内で気化した燃料に着火暴爆するのを防止する燃料タンク内への暴爆防止材の充填方法において、
前記燃料タンクの空間部内に、燃料タンクに設けた投入開口部から３次元網状構造を有するフォーム材を投入充填させる際、前記フォーム材を、予め真空袋に入れて真空圧により体積を圧縮収縮させた状態で投入し、空間部内に投入後、真空袋からフォーム材を開放して燃料タンクの空間部内においてフォーム材を圧縮前の形状に復元させて充填することを特徴とする燃料タンク内への暴爆防止材の充填方法。
【請求項２】
前記３次元網状構造を有するフォーム材を、任意の形状に分割して構成し、このフォーム材を圧縮収縮させた状態で空間部内に順次投入する請求項１に記載の燃料タンク内への暴爆防止材の充填方法。
【発明の詳細な説明】
【技術分野】
【０００１】
この発明は、燃料タンク内への暴爆防止材の充填方法にかかわり、更に詳しくは燃料タンク内に充填する３次元網状構造を有するフォーム材を充填する方法に関するものである。
【背景技術】
【０００２】
従来、車輌，航空機，船舶等の大型または中型等におけるガソリン等の燃料を収容する燃料タンク内には、３次元網状構造を有するブロック状のフォーム材を充填し、不慮の事後等で燃料タンク内の燃料及び空間部に気化した燃料に着火し、燃料タンクは勿論の事、車体，機体，船体が破壊（暴爆）するのを防止させる方法が行われている（例えば、特許文献１参照）。
【０００３】
ところで、上記のような燃料タンク内に充填する３次元網状構造を有するブロック状のフォーム材は、燃料タンク内の燃料に常に晒されるため、材質の劣化が起こり、定期的な交換が必要である。また、ブロック状のフォーム材Ｗは、図２に示すように、燃料タンク１に形成された空間部１ａに連通する開口部２の寸法は殆ど設計時に決定されているため、フォーム材Ｗの形状によっては、燃料タンク１内に搬入するフォーム材Ｗの寸法は制限される。その結果、フォーム材Ｗの寸法や形状を小さいものにする必要があり、フォーム材Ｗの数が非常に多くなり、充填作業には、多くの手間と時間がかかる上に、また多数のフォーム材を製作するにも多大な費用がかかると言う問題があった。
【特許文献１】特開２００２−２８４８１号公報
【発明の開示】
【発明が解決しようとする課題】
【０００４】
この発明は、かかる従来の問題点に着目して案出されたもので、燃料タンク内に充填する３次元網状構造を有するフォーム材の充填作業を、短時間に効率良く行うことが出来る燃料タンク内への暴爆防止材の充填方法を提供することを目的とするものである。
【課題を解決するための手段】
【０００５】
この発明は、上記目的を達成するため、燃料タンクの空間部内に、燃料タンクに設けた投入開口部から３次元網状構造を有するフォーム材を投入充填させる際、前記フォーム材を、予め真空袋に入れて真空圧により体積を圧縮収縮させた状態で投入し、空間部内に投入後、真空袋からフォーム材を開放して燃料タンクの空間部内においてフォーム材を圧縮前の形状に復元させて充填することを要旨とするものである。
【０００６】
ここで、前記３次元網状構造を有するフォーム材を、任意の形状に分割して構成し、このフォーム材を圧縮収縮させた状態で空間部内に順次投入するものである。
【０００７】
このように、フォーム材を投入充填する際、前記フォーム材を、真空圧により体積を圧縮収縮させた状態で投入し、空間部内に膨張充填させるので、フォーム材は投入開口部の形状や大きさに制限を受けることなく、効率良く投入させて充填させることが出来るものである。
【発明の効果】
【０００８】
この発明は、上記のように燃料タンクの空間部内に、燃料タンクに設けた投入開口部から３次元網状構造を有するフォーム材を投入充填させる際、前記フォーム材を、予め真空袋に入れて真空圧により体積を圧縮収縮させた状態で投入し、空間部内に投入後、真空袋からフォーム材を開放して燃料タンクの空間部内においてフォーム材を圧縮前の形状に復元させて充填するので、フォーム材の体積が低減し、燃料タンクの投入開口部の形状や大きさに制限を受けることなく、効率良く投入させて充填させることが出来、作業工数の低減と、フォーム材の数も低減でき、安価で、効率良く充填作業を行うことが出来る効果がある。
【発明を実施するための最良の形態】
【０００９】
以下、添付図面に基づきこの発明の実施の形態を説明する。
なお、従来例と同一構成要素は、同一符号を付して説明は省略する。
【００１０】
図１（ａ）〜（ｃ）は、この発明の暴爆防止材であるフォーム材Ｗの充填方法の工程説明図を示し、この実施形態では、先ず、燃料タンク１の空間部１ａ内に一定の大きさで形成された投入開口部２から、３次元網状構造を有するフォーム材Ｗを投入充填する際、前記フォーム材Ｗを、図１（ａ），（ｂ）に示すように、予め真空袋３（バキュームバック）に入れて真空圧により体積を圧縮収縮させたフォーム材Ｗｘの状態にする。
【００１１】
具体的には、ポリエチレン袋等の可撓性樹脂袋内にフォーム材Ｗを入れて密封し、この袋の一部に設けた吸引口に、図示しないバキュームポンプ等を接続させて真空圧によりフォーム材Ｗを圧縮収縮させる。
【００１２】
このようなフォーム材Ｗｘを、燃料タンク１の空間部１ａの容積に対応する数だけ作っておき、そしてフォーム材Ｗｘを燃料タンク１の空間部１ａ内に投入開口部２から順次投入する。フォーム材Ｗｘを空間部１ａ内に投入後、空間部１ａ内において、真空袋３からフォーム材Ｗｘを開放して元の形状及び大きさに復元させ、図１（ｃ）に示すように、これにより燃料タンク１の空間部１ａ内に３次元網状構造を有するフォーム材Ｗを膨張充填するのである。
【００１３】
なお、ここで、前記３次元網状構造を有するフォーム材Ｗは、燃料タンク１の空間部１ａに対応させて、任意の形状に分割して構成し、このフォーム材Ｗを圧縮収縮させた状態で空間部内に順次投入するものである。
【００１４】
このように、フォーム材Ｗを投入充填する際、前記フォーム材Ｗを、真空圧により体積を圧縮収縮させた状態で投入し、空間部１ａ内に膨張充填させるので、フォーム材Ｗは投入開口部２の形状や大きさに制限を受けることなく、効率良く投入させて充填させることが出来るものである。
【図面の簡単な説明】
【００１５】
【図１】（ａ）〜（ｃ）は、この発明の暴爆防止材であるフォーム材の充填方法の工程説明図である。
【図２】従来の燃料タンク内へのフォーム材の投入方法の説明図である。
【符号の説明】
【００１６】
Ｗ  フォーム材
１  燃料タンク
１ａ  空間部
２  投入開口部
３  真空袋
Ｗｘ  圧縮させた状態のフォーム材
【図１】
2005324845.tif 000003
【図２】
2005324845.tif 000004